(57)【要約】【課題】監視制御系が提供するサービスをより大きなネットワークコンピュータシステムを介して分散させ、限られたリモート用コンピュータの監視及び制御能力を強化することができる集合住宅用監視制御システムを提供することにある。【解決手段】リモート用コンピュータ４１Ｂには、ホスト用コンピュータ１００と通信を行う通信ポート４２ｂを備え、ホスト用コンピュータ１００側で利用可能な住宅用機器の監視・制御に係るサービスの内容や、サポートするインターフェースの定義を含む諸元情報を記憶部４１ｂに格納し、ホスト用コンピュータ１００から監視や制御の要求があると、住宅用機器の状態を示す監視データをホスト用コンピュータ１００へ転送する監視サービスや、住宅用機器を制御するための制御データを作成させて伝送信号により送出させる制御サービスを提供するインターフェースモジュール４１ｃを備えている。【選択図】図１
2007181110.tif 000002
【特許請求の範囲】
【請求項１】
住宅用機器と、該住宅用機器の監視及び制御を行う監視制御手段とを集合住宅内の各住戸に備え、インターネット網に接続されるローカルネットワークと、該ローカルネットワーク経由で送られてくる制御データを制御対象となる所定住戸の監視制御手段に送るとともに、当該住戸内の住宅用機器の動作結果を示す監視制御手段から出力される監視データをローカルネットワーク上に送出する集合住宅用監視制御システムにおいて、
前記監視制御手段に住宅用機器の監視・制御処理のためのリモート用コンピュータを備えるとともに、前記ローカルネットワーク上若しくは前記ンターネット網上に前記リモート用コンピュータとネットワーク接続のコンピュータシステムを構成するホスト用コンピュータを備え、
前記リモート用コンピュータには、前記ホスト用コンピュータ側で利用可能な前記住宅用機器の監視／制御に係るサービスの内容や、サポートするインターフェースの定義を含む諸元情報を格納している記憶部と、前記ホスト用コンピュータからインターフェース定義に規定される仕様に従ったアクセスによる監視／制御の要求があると、前記住宅用機器の状態を示す監視データを前記ホスト用コンピュータ側へ転送する監視サービスや、前記ホスト用コンピュータ側のアクセスにより前記住宅用機器を制御するための制御データを伝送信号により送出させる制御サービスを提供するインターフェースモジュールとを備え、
前記ホスト用コンピュータには、前記ローカルネットワーク上若しくは前記インターネット網上のクライアント用端末から前記住宅用機器の監視・制御のサービス要求を受け取ると共に、前記リモート用コンピュータから転送される住宅用機器の監視データを前記クライアント用端末へ提供するサーバ部と、前記リモート用コンピュータから得た前記インターフェース定義の識別子に基づいて選択された前記インターフェース定義に規定される仕様に従ったアクセスを前記インターフェースモジュールに行って前記クライアント用端末からサーバ部が受け取った監視や制御の要求に基づく要求を行うアクセスコントローラとを備え、前記インターフェースモジュールへのアクセスはデバイスオブジェクトが機能することで行うことを特徴とする集合住宅用監視制御システム。
【請求項２】
前記サーバ部はクライアント用端末に対してウェブインターフェースを提供するウェブサーバからなることを特徴とする請求項１記載の集合住宅用監視制御システム。
【発明の詳細な説明】
【技術分野】
【０００１】
本発明は、集合住宅の各住戸に設けられる住宅用機器の監視制御のための集合住宅用監視制御システムに関する。
【背景技術】
【０００２】
所謂マンションなどの集合住宅内の各住戸に設けられて住宅用機器を管理センター等で集中監視したり、或いは住戸住人が外出先から住宅用機器の監視／制御をインターネット網を通じて行う集合住宅用監視制御システムが近年提供されてきている（例えば特許文献１）。
【特許文献１】特開２００４−２１４９３７（段落００３５，図１）
【発明の開示】
【発明が解決しようとする課題】
【０００３】
ところで、特許文献１に開示されている集合住宅用監視制御システムでは、インターネット網上のネット端末側で集合住宅内の各住戸の制御装置のネットワーク上のＩＰアドレスを知る必要があり、そのためシステム設計の負担が重くなるなるという課題がある。
【０００４】
本発明は、上述の点に鑑みて為されたもので、その目的とするところは、集合住宅内に設置された監視制御系が提供するサービスをより大きなネットワークコンピュータシステムを介して分散させ、限られたリモート用コンピュータの監視及び制御能力を強化することができる集合住宅用監視制御システムを提供することにある。
【課題を解決するための手段】
【０００５】
上述の目的を達成するために、請求項１の発明では、住宅用機器と、該住宅用機器の監視及び制御を行う監視制御手段とを集合住宅内の各住戸に備え、インターネット網に接続されるローカルネットワークと、該ローカルネットワーク経由で送られてくる制御データを制御対象となる所定住戸の監視制御手段に送るとともに、当該住戸内の住宅用機器の動作結果を示す監視制御手段から出力される監視データをローカルネットワーク上に送出する集合住宅用監視制御システムにおいて、前記監視制御手段に住宅用機器の監視・制御処理のためのリモート用コンピュータを備えるとともに、前記ローカルネットワーク上若しくは前記ンターネット網上に前記リモート用コンピュータとネットワーク接続のコンピュータシステムを構成するホスト用コンピュータを備え、前記リモート用コンピュータには、前記ホスト用コンピュータ側で利用可能な前記住宅用機器の監視／制御に係るサービスの内容や、サポートするインターフェースの定義を含む諸元情報を格納している記憶部と、前記ホスト用コンピュータからインターフェース定義に規定される仕様に従ったアクセスによる監視／制御の要求があると、前記住宅用機器の状態を示す監視データを前記ホスト用コンピュータ側へ転送する監視サービスや、前記ホスト用コンピュータ側のアクセスにより前記住宅用機器を制御するための制御データを伝送信号により送出させる制御サービスを提供するインターフェースモジュールとを備え、前記ホスト用コンピュータには、前記ローカルネットワーク上若しくは前記インターネット網上のクライアント用端末から前記住宅用機器の監視・制御のサービス要求を受け取ると共に、前記リモート用コンピュータから転送される住宅用機器の監視データを前記クライアント用端末へ提供するサーバ部と、前記リモート用コンピュータから得た前記インターフェース定義の識別子に基づいて選択された前記インターフェース定義に規定される仕様に従ったアクセスを前記インターフェースモジュールに行って前記クライアント用端末からサーバ部が受け取った監視や制御の要求に基づく要求を行うアクセスコントローラとを備え、前記インターフェースモジュールへのアクセスはデバイスオブジェクトが機能することで行うことを特徴とする。
【０００６】
請求項１の発明によれば、クライアント用端末側で、ウェブブラウザを通じて監視や制御の要求や情報閲覧ができ、操作性に優れる。
【０００７】
請求項２の発明では、請求項１の発明において、前記サーバ部はクライアント用端末に対してウェブインターフェースを提供するウェブサーバからなることを特徴とする。
【０００８】
請求項２の発明によれば、クライアント用端末側で、ウェブブラウザを通じて監視や制御の要求や情報閲覧ができ、操作性に優れる。
【発明の効果】
【０００９】
本発明は、能力の限られた監視・制御のためのリモート用コンピュータにソフトウェアを組み込むことで、集合住宅内に設置された監視制御系が提供するサービスをより大きなネットワークコンピュータシステムを介して分散させ、限られたリモート用コンピュータの監視及び制御能力を強化することができ、集合住宅内の監視制御系が提供するサービスをネットワーク上のクライアント用端末がホスト用コンピュータを通じて容易に享受できるシステムを構築することが可能となり、特にクライアント用端末に対してネットワーク上の遠隔地に存在する集合住宅内の監視制御系が提供する負荷の制御や監視のサービスがクライアント用端末の手許にあるかのように利用することができるという効果がある。
【発明を実施するための最良の形態】
【００１０】
以下本発明を実施形態により説明する。 
【００１１】
図２はシステム全体の概要を示す図であり、図３はシステム全体のブロック図を示している。本実施形態のシステムは、外部に設けられる管理会社Ｘに設置されるセンターサーバ１と、管理会社Ｘと契約関係を持つ集合住宅Ｍ内に設けられたイーサネット（登録商標）を用いたローカルネットワーク（以下ＬＡＮと略す）４０との間をインターネット網２で接続し、センターサーバ１で当該集合住宅Ｍにおいて必要とする各種サービスを提供するようになっている。 
【００１２】
ここで、集合住宅Ｍに設置される設備としては、集中制御型のシステムに属する設備と、イーサネット(登録商標）を用いたＬＡＮ４０に接続された設備とが存在し、これら設備は更には各住戸Ｈ内用の住宅用機器と、共用部分Ｋの設備とに分けられる。 
【００１３】
まず集中制御型のシステムに属する設備中、各住戸Ｈ内に設けられる住宅用機器としては、カメラ付きドアホン子器３や後述するカメラ付きのロビーインターホン４からの来訪者の映像を映すモニタ５を備えるとともに、ドアホン子器３，ロビーインターホン４、更には後述する管理人室の監視盤１０に付設されているインターホンとの間で通話がインターホン機能と、住戸Ｈ内に設置された防災、防犯等の各種センサ６の検知信号や、小電力無線を用いたワイヤレス非常押釦装置７からの発信信号を受信する受信器８の出力信号に基づいた警報情報を監視盤１０へ送信する警報発信機能とを備えた住宅情報盤９がある。
【００１４】
一方共用部分Ｋの設備としては、上述したロビーインターホン４と、監視盤１０があり、ロビーインターホン４は来訪者が訪問先の住戸Ｈを呼び出す操作部と、来訪者を映す撮像カメラと、通話用のインターホン機能とを備えてある。 
【００１５】
監視盤１０は、ロビーインターホン４と、住戸Ｈの住宅情報盤９との間を映像信号や、通話音声信号、警報信号などを伝送する信号線と集中監視制御のための伝送信号線とからなる線路１１で接続され、ロビーインターホン４からの呼び出し先住戸Ｈとロビーインターホン４との間の映像信号伝送路及び通話路確立の制御や、住戸Ｈの住宅情報盤９からの呼び出しに応じて住宅情報盤９と監視盤１０のインターホンとの間の通話路の確立の制御、住戸Ｈの住宅情報盤９からの警報信号の受信と発報処理とを行う監視制御手段である監視制御部１０ａを備えている。この監視制御部１０ａはリモート用コンピュータ４１Ａの制御の下で、伝送信号の送受信を行うインターフェース部１０ｂから監視／制御を行うために時分割多重伝送信号を各住戸Ｈの住宅情報盤９及びロビーインターホン４へ送信してこれらを順次アクセスし、このアクセス時に制御データを機器側に送信したり、時分割多重伝送信号に設けられたタイムスロットにおいて機器側からの警報情報や呼び出し操作情報などを返信させたりするようになっている。
【００１６】
また監視盤１０のリモート用コンピュータ４２Ａには外部からの情報を授受するためのＲＳ２３２ＣやＲＳ４８５のシリアル通信用の通信ポート４２ａを備えており、この通信ポート４２ａを、ＬＡＮ４０と集中制御型のシステムとの間のプロトコル変換のためのゲートウェイ１２に接続してある。
【００１７】
一方ＬＡＮ４０側の共用部分Ｋの基本設備として、スイッチングハブ部２０ａとルータ部２０ｂとを備え、ルータ部２０ｂのＷＡＮ側には外部のインターネット網２が、またＬＡＮ４０側にはスイッチングハブ部２０ａを介してインターネット対応の設備が接続されるルータ装置２０を設けてある。 
【００１８】
ここで共用部分Ｋのインターネット対応設備としては、住人の鍵の貸し出し、預かりを行う収納ボックスの出し入れ管理を行う鍵収納装置２１、鍵収納装置２１の操作者を撮像する撮像カメラ２２の映像データを取り込み、この映像データを圧縮して所定のＩＰにより管理会社Ｘのセンターサーバ１へ送り出す動画サーバ２３，更にはロビーインターホン４に併設して来訪者を撮像し、ＪＰＥＧ形式などのファイルに圧縮して所定のＩＰにより管理会社Ｘのセンターサーバ１へ送信するネットワークカメラ（Ｗｅｂカメラ）２４Ａや来訪者の通話音声を集音して音声データをセンターサーバ１へ送信する音声入力装置２４Ｂは前記のゲートウェイ１２とともに夫々ＬＡＮケーブル４０…を用いてルータ装置２０のスイッチングハブ部２０ａに接続される。 
【００１９】
ゲートウェイ１２は図４に示すようにルータ装置２０内のスイッチングハブ部２０ａに接続されたネットワークインターフェース部１２０と、監視盤１０内の通信ポート４２との間で通信するＲＳ２３２ＣやＲＳ４８５等のシリアル通信用のインターフェイス部１２１と、ＬＡＮ側からのＩＰをシリアル通信用のプロトコルに変換したり、逆にシリアル通信のプロトコルをＩＰに変換するプロトコル変換処理を行うＣＰＵ部１２２，このＣＰＵ部１２２のファームウェア等を格納したフラッシュメモリ１２３、更にはワークエリアやデータの一時格納に使うＲＡＭ１２４、そして時刻を計時するための時計ＩＣ１２５と、更には初期設定やファームウェア等の更新時の操作時のツールを接続するためのインターフェイス部（図示せず）が備わっている。 
【００２０】
また住戸Ｈのインターネット対応設備としては、住戸Ｈ内の電気機器２７（空調設備２７ａ、照明負荷２７ｂ）を制御するとともに人の行動を監視するセンサ２６の情報を取り込み、インターネット網２を通じて外部から電気機器の操作を行ったり、住戸Ｈ内での人の動きを監視することを可能とする監視制御手段たる信号入出モジュール装置２５，更には室内の様子を撮像してＪＰＥＧ形式などのファイルに圧縮してインターネット網２上へ送信する機能を備えているネットワークカメラ装置２８や、更にはパーソナルコンピュータなどのインターネット端末が設けられる。 
【００２１】
そして信号入出モジュール装置２５は電話回線の接続装置や、ルータ装置２０のスイッチングハブ部２０ａに一端が接続されたＬＡＮ４０のケーブルの他端を接続したハブ装置３０を内蔵するマルチメディア用配線盤３１内に配設され、盤内でハブ装置３０を通じてＬＡＮに接続され、また他のインターネット端末は盤内のハブ装置３０や電話回線の接続装置に接続された電話回線やＬＡＮ４０のケーブルを接続した電話用モジュラコネクタ、ＬＡＮ用モジュラコネクタ等を備えたマルチメディア用コンセント３２のＬＡＮ用モジュラコンセントコネクタにＬＡＮ４０のケーブルを用いて接続される。 
【００２２】
尚信号入出モジュール装置２５と電気機器２７若しくはセンサ２６との接続は信号線４４…を用いて接続される。尚照明負荷２７ｂのオン／オフ制御は信号入出モジュール装置２５の制御信号でオン／オフされる住宅用分電盤２９内のリレー装置（図示せず）を通じて行われるので、照明負荷２７ｂと住宅用分電盤２９内のリレー装置との間は電源線４５により接続されている。
【００２３】
ここでルータ装置２０は集合住宅内のインターネット端末にローカルなＩＰアドレスを動的に付与するためのＤＨＣＰサーバ機能を備えるとともに、ルータ装置２０自身もインターネット網２にはＡＤＳＬ等でＤＨＣＰ接続されているものとする。 
【００２４】
また信号入出モジュール装置２５は図５に示すようにＬＡＮに接続するための通信ポート４２ｂと、日本電機工業界規格（ＪＥＭＡ）により定まった制御信号／動作信号の入出力用インターフェイス部２５１と、接点入出力によって外部機器に対する制御や動作状態の取り込みを行う接点入出力用インターフェイス部２５２と、ＲＳ２３２ＳＣやＲＳ４８５などの通信用インターフェイス部２５３とを備えるとともに、該信号入出モジュール装置２５の信号処理を担うためのリモート用コンピュータ４１Ｂを備え、ゲートウェイ１２との間でＬＡＮ４０と通信ポート４２ｂを介して通信を行い、ゲートウェイ１２からのプロトコル変換された送られてくる制御データに基づいて前記インターフェイス部２５１〜２５３の何れかに接続する電気機器２７を制御する制御信号を出力したり、或いは取り込んだ電気機器２７の動作状態信号やセンサ２６の検知信号に基づいた監視データをゲートウェイ１２へ送出する動作を行うようになっている。
【００２５】
管理会社Ｘに設置されるセンターサーバ１は、インターネット網２に接続するためのネットワークインターフェイス部(図示せず）や、公衆電話回線網１３に接続される電話端末部(図示せず）、契約している集合住宅Ｍの各住戸Ｈの住人の個人情報を格納するデータベース５２、各集合住宅Ｍのゲートウェイ１２に提供するアプリケーションソフトや、住人の個別サービス提供のためのアプリケーションソフトを格納しているデータベース５３，各住人に対して行う電話回線（公衆電話回線１４ａ，移動体通信網１４ｂ、インターネット電話）を利用したサービスに要した回線使用の課金データを保存する課金データベース、集合住宅Ｍのロビーインターホンに併設された来訪者を撮像するインターネットカメラ２４Ａ及び来訪者の通話音声を集音する音声入力装置２４Ｂからの映像データ及び音声データを保存記録するデータベース(図示せず）を備えるとともに、各種サービス提供のための処理、制御を統括する機能を備えた制御部等を備えたコンピュータシステムから構成されるもので、移動体通信網を通じてインターネット網２に接続された携帯電話機やＰＤＡ等の移動通信端末、或いはプロバイダーを介してインターネット網２に接続されるパーソナルコンピュータ等のクライアント用端末５０からのアクセスにより、集合住宅Ｍ内の設備の監視データや集合住宅Ｍ内の設備の操作用のＷｅｂページを構築するＷｅｂサーバ機能を備え、ＩＤやパスワードを予め与えられている住人のクライアント用端末５０からＷｅｂページのＵＲＬへアクセスがあると、認証手続きを経た後、当該端末のＷｅｂブラウザにより住人の住戸Ｈ内の設備や共用部分Ｋの監視データ（動作情報）を閲覧可能に提示したり、或いは住宅用機器の操作画面を提示して該画面上からの操作を可能とし、その操作情報取得し、取得した操作情報をインターネット網２を通じて対応する集合住宅２のゲートウェイ１２へ所定のＩＰで送ることができるようになっている。ここでセンターサーバ１では各集合住宅Ｍのルータ装置２０のＷＡＮ側のＩＰアドレスと集合住宅Ｍ（集合住宅Ｍに対応付けたＩＤ）との関係のテーブルを持ち、ＡＤＳＬなどでインターネット網２に対してルータ装置２０をＤＨＣＰ接続している環境でも、前記操作情報をゲートウェイ１２に対して送る通信や後述するキープアライブ通信を可能としている。
【００２６】
そしてセンターサーバ１はクライアント用端末５０に加え、各住戸Ｈに設けられる監視制御手段である監視盤１０のリモート用コンピュータ４１Ａとで、また信号入出モジュール装置２５のリモート用コンピュータ４１Ｂとで、夫々ネットワーク接続のコンピュータシステムを構成する後述するホスト用コンピュータを構成する。
【００２７】
図１は、クライアント用端末５０と、信号入出モジュール装置２５のリモート用コンピュータ４１Ｂと、センターサーバ１からなるホスト用コンピュータ１００とで構成されるネットワーク接続のコンピュータシステムＢの主なソフトウェアとハードウェアの要素からなる概念構成を示しており、リモート用コンピュータ４１Ｂとホスト用コンピュータ１００は夫々に備えたイーサネット（登録商標）対応の通信ポート１０１、４２によって、ＬＡＮ４０、インターネット網２からなるネットーワークを介して接続される。尚図１では、信号入出モジュール装置２５のリモート用コンピュータ４１Ｂの場合を示しているが、監視盤１０内のリモート用コンピュータ１０Ａの場合には通信ポート４２は、プロトコル変換用のゲートウェイ１２を介してネットワークに接続され、ホスト用コンピュータ１００と、クライアント用端末５０とでネットワーク接続のコンピュータシステムＢを構成する。
【００２８】
尚クライアント用端末５０はイーサネット（登録商標）対応の通信ポート５１を用いてホスト用コンピュータ１００に対してネットワーク接続されている。
【００２９】
このような構成により、クライアント用端末５０によりホスト用コンピュータ１００を介して各監視制御手段のリモート用コンピュータ４１Ｂ（又は４１Ａ）で夫々の監視制御手段が提供するサービスに遠隔地からアクセスすることができる。
【００３０】
監視制御手段のリモート用コンピュータ４１Ｂ（又は４１Ａ）は、夫々の監視制御系で用いる所定信号形式で住宅用機器の監視制御のデータの送受信は夫々に対応するインターフェース部（２５１〜２５３又は１０ｂ）を介して行う。
【００３１】
リモート用コンピュータ４１Ｂ（又は４１Ａ）に組み込みまれた組み込み型アプリケーションプログラム４１ａは、夫々の監視制御系のインターフェース部（２５１〜２５３又は１０ｂ）と直接データの授受を行う実行命令を有し、この実行命令によって夫々の監視制御系の信号によるデータの授受を行う。
【００３２】
また、リモート用コンピュータ４１Ｂ（又は４１Ａ）はリモート用コンピュータ自身の特性及び能力についての基本情報を能力表Ｔ１として記憶部４１ｂに記憶させている。この能力表Ｔ１は、ファイルとして記憶しても良く、又はアプリケーションプログラム４１ａとコンパイルされた状態のデータとして記憶しても良く、更にリモート用コンピュータ４１Ｂ（又は４１Ａ）の外部の記憶装置（図示せず）に記憶しても良い。表１は、能力表Ｔ１の一例を示している。
【００３３】
【表１】
2007181110.tif 000003
【００３４】
表１に示すように、能力表Ｔ１では、（１Ａ）によりリモート用コンピュータ４１Ｂ（又は４１Ａ）がどんなインターフェース定義をサポートするかを示す、インターフェース定義のフィールドとその使用は十分に示す。能力表Ｔ１の（１Ｂ）はバイト配列形式の識別を示し、（１Ｃ）は特定のリモート用コンピュータ４１Ｂ（又は４１Ａ）のために装置がどんなものであるかを示す装置識別を示し、（１Ｄ）は、リモート用コンピュータ４１Ｂ（又は４１Ａ）にアドレスがある場合に書き込まれる装置アドレスである。またアプリケーションプログラム４１ａ等の互換性を確保するために使用されるソフトウェアのバージョン番号（１Ｅ）を書き込んでも良い。同様に通信プロトコル・バージョンの番号（１Ｆ）を書き込んでも良い。また通信についての詳細も記憶してよく、（１Ｇ）で示す最大通信パケットサイズを書き込んでも良い。
【００３５】
この能力表Ｔ１は、ホスト用コンピュータ１００の要求に応じてホスト用コンピュータ１００側へ能力表Ｔ１のデータを転送し、ホスト用コンピュータ１００側でリモート用コンピュータ４１Ｂ（又は４１Ａ）の特性及び能力を確認することができるものである。
【００３６】
クライアント用端末５０及びホスト用コンピュータ１００又はその何れかで動作するアプリケーションプログラムによって、ユーザがリモート用コンピュータ４１Ｂ（又は４１Ａ）により提供される監視制御系のサービス（住宅用機器の監視や制御）にアクセスしたい場合がある。
【００３７】
この監視や制御のサービスは、異なる機能、変数、イベント及びファイル又はその何れかを有する。例えば、ユーザは、特定の住宅用機器の状態監視や、制御等のサービスを望むことがあるが、このユーザがアクセスを必要とする可能性のあるサービスを本実施形態ではサービス表Ｔ２としてリストアップしてある。
【００３８】
このサービス表Ｔ２は、リモート用コンピュータ４１Ｂ（又は４１Ａ）の記憶部４１ｂに記憶されるが、この場合、サービス表Ｔ２をファイルとして記憶しても良いし、或いはアプリケーションプログラム４１ａとコンパイルされた静的データとして記憶部４１ｂに記憶しても良いし、又は、リモート用コンピュータ４１Ｂ（又は４１Ａ）の外部の記憶装置（図示せず）に記憶しても良い。
【００３９】
表２は、サービス表Ｔ２の一例を示す。
【００４０】
【表２】
2007181110.tif 000004
【００４１】
この表２に示すように、サービス表Ｔ２は、サービスの名称又は識別、サービスの種類（例えば、それが機能、変数、イベント又はファイルなどであるか否か）が書き込まれ、また必要に応じて入力パラメータの種類、リターンの種類、及びサービスのアドレスのような情報を含んでも良い。
【００４２】
ここで（２Ａ）は、機能「Function」についての情報を示している、すなわち、それが機能であり、それが入力パラメータとしてワードを取り、それが何もリターンしない（無）、そのアドレスが＆Functionで表されていることを示している。
【００４３】
また（２Ｂ）は、他の機能「ＦｕｎｃｔｉｏｎＢ」についての情報を示している。また変数についての適切な情報は（２Ｃ），（２Ｄ）に示してある。
【００４４】
イベントについての情報は、（２Ｅ），（２Ｆ）に示してある。ここで示すイベントは、任意の種類のデータであっても良い。例えば、イベントは、変数、特定のレジスタ、割り込みなどとすることができる。またイベントは、非同期的に生じる品目について特に有用であり、非同期的な種類のイベントの例には住宅用機器の制御状態の変更などがある。特定のファイルについての情報は、（２Ｇ）と（２Ｈ）に示してある。
【００４５】
さてリモート用コンピュータ４１Ｂ（又は４１Ａ）の記憶部４１ｂに監視制御手段としてのサービスについての情報をサービス表Ｔ２に記憶することによって、ホスト用コンピュータ１００は、リモート用コンピュータ４１Ｂ（又は４１Ａ）を通じてどのようなサービスが利用できるかを容易に確認することができる。
【００４６】
ここで、リモート用コンピュータ４１Ｂ（又は４１Ａ）のアプリケーションプログラム４１ａは、サービスを定義し、サービス表Ｔ２は、特定のサービスについての情報を提供するように機能し、この情報はホスト用コンピュータ１００に接続されたクライアント用端末５０のユーザに有用となる。勿論ホスト用コンピュータ１００のユーザ(管理者）にとっても有用なものとなる。
【００４７】
またリモート用コンピュータ４１Ｂ（又は４１Ａ）に組み込んだソフトウェアとしてのインターフェースモジュール４１ｃは、リモート用コンピュータ４１Ｂ（又は４１Ａ）を通じて提供されるサービスと、ホスト用コンピュータ１００（で動作するソフトウェア）との間でアクセスを行うもので、リモート用コンピュータ４１Ｂ（又は４１Ａ）の所望サービスにアクセスするためにサービス表Ｔ２の情報を使用し、リモート用コンピュータ４１Ｂ（又は４１Ａ）に組み込んだソフトウェアによって実現される通信モジュール４１ｄと、ハードウェアの通信ポート４２ｂとを介してホスト用コンピュータ１００に対して通信を行う。インターフェースモジュール４１ｃ、通信モジュール４１ｄ及びアプリケーションプログラム４１ａは記憶手段に格納されているもので、記憶手段としては記憶部４１ｂであっても、別の記憶素子であっても良い。
【００４８】
尚通信モジュール４１ｄの代わりに、インターフェースモジュール４１ｃがリモート用コンピュータ４１Ｂ（又は４１Ａ）における通信ポート４２と直接インターフェース接続するに必要な通信コードを有しても良い。通信モジュール４１ｄ又は通信コードは、通信ポート４２へアクセスしてデータが適当な大きさでフォーマットされたデータ片により通信ポート４２に与られ、且つ通信ポート４２で受信したデータが正しく読み取られるということを保障するものである。
【００４９】
さてリモート用コンピュータ４１Ｂ（又は４１Ａ）とネットワークコンピュータシステムＢを構成するホスト用コンピュータ１００は、リモート用コンピュータ４１Ｂ（又は４１Ａ）の通信ポート４２と通信をするハードウェアの通信ポート１０１と、通信ポート１０１を介してリモート用コンピュータ４１Ｂ（又は４１Ａ）との間で通信を行うためのソフトウェアからなる通信モジュール１００ｆとを有し、この通信モジュール１００ｆはリモート用コンピュータ４１Ｂ（又は４１Ａ）の通信モジュール４１ｄと同様で、通信ポート１０１に対し書き込まれたり、読み出されたりするデータのフォーマットを正しく作成するためのものである。
【００５０】
更にホスト用コンピュータ１００は、リモート用コンピュータ４１Ｂ（又は４１Ａ）で提供されるサービスに対するアクセスを行うために、リモート用コンピュータ４１Ｂ（又は４１Ａ）に対して記憶部４１ｂに記憶されているサービス表Ｔ２のリスト要求を行って転送させ、サービス情報１００ｄを作成する。このサービス情報１００ｄは、監視制御系においてどんなサービスが利用できるか、及び、もしあるとすればどんなデータの種類が個々のサービスで使用されるかを示す。これにより、ホスト用コンピュータ１００を介して、リモート用コンピュータ４１Ｂ（又は４１Ａ）へのアクセスが容易になる。尚このサービス情報１００ｄを作成させる処理はホスト用コンピュータ１００の初期処理として実行され、この実行はホスト用コンピュータ１００内のアクセスコントローラ１００ａにより指示される。アクセスコントローラ１００ａはホスト用コンピュータ１００の処理動作を統括するものであり、対応するソフトウェアを実行されることで構成される。
【００５１】
ここでホスト用コンピュータ１００はクライアント用端末５０との間で通信を行い、クライアント用端末５０に対してリモート用コンピュータ４１Ｂ（又は４１Ａ）が提供するサービスへのアクセスが行えるようになっており、クライアント用端末５０によるアクセスを容易にするため、ウェブサーバ１００ｂを備えている。このウェブサーバ１００ｂは、リモート用コンピュータ４１Ｂ（又は４１Ａ）でのサービスに対しウェブインターフェースを提供するもので、例えば監視制御系の住宅用機器の状態の表示や、制御指示の入力を行うためのウェブページを提供する。つまりアクセスコントローラ１００ａは、リモート用コンピュータ４１Ｂ（又は４１Ａ）で利用可能なサービスからウェブページを作成し、ウェブサーバ１００ｂは作成されたウェブページ提示に対するクライアント用端末５０の要求に対してサービスする。
【００５２】
またホスト用コンピュータ１００は、リモート用コンピュータ４１Ｂ（又は４１Ａ）のサービスに対するクライアントの要求にサービスするために、デバイスアクセスサーバ１００ｃを備えており、このデバイスアクセスサーバ１００ｃは、サービス情報１００ｄにアクセスし、このサービス情報１００ｄをクライアント用端末５０のユーザが利用できるようにする。
【００５３】
パーソナルコンピュータにより構成されるクライアント用端末５０は、ウェブブラウザからなるクライアントアプリケーション５０ａとネットワーク用の通信ポート４とを有し、通信ポート６４は、リモート用コンピュータ４１Ｂ（又は４１Ａ）のサービスにアクセスするためにホスト用コンピュータ１００のデバイスアクセスサーバ１００ｃと通信する。クライアントアプリケーション６０ａは、サービスに関する情報を得るために通信ポート６４を使用し、ホスト用コンピュータ１００に構築されたウェブサーバ１００ｂからのデータにアクセスするようになっている。
【００５４】
一方上述のホスト用コンピュータ１００では転送されてきたサービス情報１００ｄのカプセル化をソフトウェアオブジェクトの実行で行うようになっている。つまりホスト用コンピュータ１００に格納されているソフトウェアオブジェクト（以下オブジェクトという）１００ｅを実行することでサービス情報１００ｄをカプセル化しており、このオブジェクト１００ｅはリモート用コンピュータ４１Ｂ（又は４１Ａ）を含む監視制御系の少なくとも一部のオブジェクト表現を提供し、オブジェクト１００ｅの一部は主としてリモート用コンピュータ４１Ｂ（又は４１Ａ）から提供されるサービスにアクセスするために用いられる。そしてオブジェクト１００ｅをホスト用コンピュータ１００上で実現することにより、監視制御手段のリモート用コンピュータ４１Ｂ（又は４１Ａ）側のリモート用コンピュータ４１Ｂ（又は４１Ａ）の資源を使用することなく、ソフトウェアの開発者はオブジェクト指向分析及び設計に係る利益が与えられることになる。
【００５５】
ここでオブジェクト１００ｅは、データ構造で記述され、一つのオブジェクト１００ｅは、データ及び機能又は何れかをカプセル化した抽象的なデータ形式であり、メンバーコンポーネント（機能、変数、データ等カプセル化しもの）がホスト用コンピュータ１００上の記憶部(図示せず）に格納され、少なくとも一つのメンバーコンポーネントがリモート用コンピュータ４１Ｂ（又は４１Ａ）に対して通信を行ってリモート用コンピュータ４１Ｂ（又は４１Ａ）のデータをリトリーブしてリモート用コンピュータ４１Ｂ（又は４１Ａ）上のデータを変更するかコードを実行させる。つまりオブジェクト１００ｅは部分的にリモート用コンピュータ４１Ｂ（又は４１Ａ）のデータ、機能及びイベント又はその何れかを担う用に機能する。
【００５６】
そして、リモート用コンピュータ４１Ｂ（又は４１Ａ）側のサービス表Ｔ２及びホスト用コンピュータ１００で作成されたサービス情報１００ｄはオブジェクト１００ｅがリモート用コンピュータ４１Ｂ（又は４１Ａ）が提供するサービスを、ホスト用コンピュータ１００で動作するソフトウェア及びクライアント用端末５０で動作するソフトウェアの両方又は一方に関連付けることを可能とする。
【００５７】
このようにしてリモート用コンピュータ４１Ｂ（又は４１Ａ）のデータ及び機能又はその何れかの一部がネットワークを通じて分散される。そして必要なデータのみがリモート用コンピュータ４１Ｂ（又は４１Ａ）に格納され、またリモート用コンピュータ４１Ｂ（又は４１Ａ）上に格納される必要がある実行可能コードのみがリモート用コンピュータ４１Ｂ（又は４１Ａ）に格納される。これによりネットワークコンピュータシステムＢを構成するリモート用コンピュータ４１Ｂ（又は４１Ａ）とホスト用コンピュータ１００との間でデータと機能とを分散してリモート用コンピュータ４１Ｂ（又は４１Ａ）の資源を最小とし、オブジェクト１００ｅが分散されたデータ及び機能をホスト用コンピュータ１００でアクセス可能としている。
【００５８】
而して今動作制御系のリモートコンピュータ４１Ｂ（あるいは４１Ａ）とネットワークコンピュータシステムＢを構成するホスト用コンピュータ１００で搭載されたソフトウェアを実行させるために、図６（ａ）のステップＳ１で示すようにユーザはホスト用コンピュータ１０を立ち上げてアクセスコントローラ１００ａ及び通信ポート１０１を起動させる。これによりリモート用コンピュータ４１Ｂ（又は４１Ａ）のインターフェースモジュール４１ｃをリセットさせる(ステップＳ２）。このリセットに応じてリモート用コンピュータ４１Ｂ（又は４１Ａ）のインターフェースモジュール４１ｃは、リセットしたことの確認をホスト用コンピュータ１００のアクセスコントローラ１００ａへ返す。
【００５９】
またアクセスコントローラ１００ａは、性能表Ｔ１及びサービス表Ｔ２の転送を要求する(ステップＳ３、Ｓ４）。この要求に応じてインターフェースモジュール４１ｃは記憶部４１ｂからこれら表Ｔ１，Ｔ２をホスト用コンピュータ１００へ転送する。これによりホスト用コンピュータ１００で実行されたソフトウェアは、監視制御手段のリモート用コンピュータ４１Ｂ（又は４１Ａ）のリモート用コンピュータ４１Ｂ（又は４１Ａ）がどのような能力（インターフェース）を持っているかを知るとともに、リモート用コンピュータ４１Ｂ（又は４１Ａ）によって提供される監視制御系でのサービスに関するサービス情報１００ｄをオブジェクト１００ｅによって作成して記憶手段(図示せず）に保持する(ステップＳ５）。そしてホスト用コンピュータ１００のアクセスコントローラ１００ａはサービス情報１００ｄをクライアント用端末５０で提示させるためのウェブページを作成し、ウェブサーバ１００ｂを介してクライアント用端末５０のクライアントアプリケーション５０ａへ送出することを可能とする。そして上述のサービス情報１００ｄはオブジェクト１００ｅによってカプセル化される。またウェーブサーバ１００ｂ及びデバイスアクセスサーバ１００ｃが起動することになる(ステップＳ６、Ｓ７）。以後ホスト用コンピュータ１０上でソフトウェアが動作すると、受信した要求をサービスするように動作する(ステップＳ８）。
【００６０】
一方サービスを求めるユーザは、クライアントアプリケーション５０ａ及びデバイスアクセスクライアント５０ｂ又はその何れかがクライアント用端末５０上で起動させる。
【００６１】
図６（ｂ）はリモート用コンピュータ４１Ｂ（又は４１Ａ）からサービスのための変数値を獲得する手順の流れ図を示す。
【００６２】
まずクライアントアプリケーション５０ａが既にリモート用コンピュータ４１Ｂ（又は４１Ａ）でのサービスを認識していない限り、クライアントアプリケーション５０ａはステップＳ１０で利用可能なサービス表Ｔ２のリストを要求する。ウェブサーバ１００ｂ、デバイスアクセスサーバ１００ｃ、又は同様のサーバの何れかが要求を受信して、オブジェクト１００ｅにより作成されたサービス情報１００ｄを読み出す（ステップＳ１１）。
【００６３】
続いてサーバ３４又は３５はサービス情報１００ｄをクライアント用端末５０に送る（ステップＳ１３）。一度クライアント用端末５０がリモート用コンピュータ４１Ｂ（又は４１Ａ）でどのようなサービスが利用可能かを知ると、このクライアント用端末５０はそのサービスに関するデータ及び動作又は何れかを要求する。つまりクライアント用端末５０はそれらに対応する特定の変数値を要求する。（ステップＳ１２）。ユーザはクライアント用端末５０のクライアントアプリケーション５０ａを通して、リモート用コンピュータ４１Ｂ（又は４１Ａ）でのイベントの状態又はデータの状態（住宅用機器の状態変化や現在の状態）を知るためにリモート用コンピュータ４１Ｂ（又は４１Ａ）に特定の変数値を要求する（ステップＳ１３）。
【００６４】
サーバ３４又は３５は特定の変数値に関する要求を受信し（ステップＳ１４）、その変数値を適切なオブジェクト１００ｅから要求する（ステップＳ１５）。オブジェクト１００ｅは、この要求を受信すると、この要求されている変数値に対応してリモート用コンピュータ４１Ｂ（又は４１Ａ）に組み込まれているインターフェースモジュール４１ｃにメッセージを送る（ステップＳ１６）。このメッセージをステップＳ１７で受信したリモート用コンピュータ４１Ｂ（又は４１Ａ）のインターフェースモジュール４１ｃは、変数にアクセスし、そこに含まれる値を読み取る（ステップＳ１７）。インターフェースモジュール４１ｃは読み取った変数値をホスト用コンピュータ１０のオブジェクト１００ｅにその通信路を通して送り返す（ステップＳ１８）。オブジェクト１００ｅはこの変数値を受け取ると、その変数値をサーバ３４又は３５に返す（ステップＳ１９）。続いてサーバ３４又は３５はクライアント用端末５０からの要求に応答し、その変数値をクライアント用端末５０のクライアントアプリケーション５０ａ又はデバイスクライアント４１を構成するソフトウェアへ送る。 
【００６５】
ここで、オブジェクトの能力を拡張するためにオブジェクト階層が使用されている場合、オブジェクト１００ｅはデータをサーバ３４又は３５に戻す前にそのデータに対して更なる処理を加える。
【００６６】
かようにして本実施形態のシステムでは、クライアント用端末５０からホスト用コンピュータ１００を介して監視制御系のリモート用コンピュータ４１Ｂ（又は４１Ａ）のリモート用コンピュータ４１Ｂ（又は４１Ａ）に対して監視制御系の住宅用機器の状態のデータ、つまり監視データを要求したり、或いは所定の住宅用機器の制御を要求することで、遠隔地においても住宅用機器の監視と制御を可能とするものである。
【００６７】
そして本実施形態では、能力の限られた監視制御系のリモート用コンピュータ４１Ｂ（又は４１Ａ）のリモート用コンピュータ４１Ｂ（又は４１Ａ）のアプリケーションプログラム４１ａ、インターフェースモジュール４１ｃに関連するソフトウェア（通信モジュール１３及び３０に関連する）、及びクライアント用端末５０のクライアントアプリケーション５０ａを夫々に組み込むことで、限られたリモート用コンピュータ４１Ｂ（又は４１Ａ）の監視及び制御能力を強化するために監視制御系が提供するサービスをより大きなネットワークコンピュータシステムＢを介して分散させ、例えば監視制御系に関連するデータの格納能力をホスト用コンピュータ１００上に格納できるようにすることで増加させることや、リモート用コンピュータ４１Ｂ（又は４１Ａ）とのインターフェース及び通信の容易さを増加させることを可能としている。監視制御系が提供するサービスの情報をホスト用コンピュータ１００でカプセル化し、それをクライアント用端末５０のクライアントアプリケーション５０ａに提示することで、リモート用コンピュータ４１Ｂ（又は４１Ａ）を通じて監視制御系のサービスがより容易にアクセスすることができるのである。
【００６８】
尚図２中６０はインターネット網２上のＮＴＰサーバ、６２はメールサーバである。また６１は住人が所有する携帯電話機やＰＤＡなどの移動体端末であって、移動体通信網１４ｂを通じてインターネット網２に接続される。また携帯電話機の場合には公衆電話回線１４ａや移動体通信網１４ｂに接続される電話端末や他の携帯電話機との間で音声による通話が行えるものである。 
【００６９】
次に本実施形態の全体の動作を説明する。 
【００７０】
まず集合住宅Ｍ内におけるシステムが構築されると、施工業者はゲートウェイ１２に対してＩＰアドレスやデフォルトゲートウェアの設定を行った上で、当該集合住宅Ｍ内に構築されたシステムにおいて必要とするアプリケーションソフトや情報を管理会社Ｘのセンターサーバ１に対して要求するコマンドを所定のＩＰによりＬＡＮとルータ装置２０、インターネット網２を通じて送る。 
【００７１】
これによりゲートウェイ１２からの要求に応じてセンターサーバ１ではデータベース５３から要求されたアプリケーションソフトのプログラムデータや情報を読み出して、ゲートウェイ１２のＩＰアドレス宛に所定のＩＰにより送信する。 
【００７２】
ゲートウェイ１２のＣＰＵ部１２２はデフォルトゲートウェアの実行の下で送られてきたプログラムデータや情報をネットワークインターフェイス部１２０を通じて受信すると、フラッシュメモリＲＯＭ１２３に書き込む処理を行い、書き込み処理が終了すると、ロードしたアプリケーションソフトを実行し、通常の稼働状態に移行する。 
【００７３】
尚ゲートウェイ１２とセンターサーバ１との間の通信は全てＶＰＮ通信で行い、秘匿性を確保しているものとする。 
【００７４】
一方管理会社Ｘでは、アプリケーションソフトや情報を提供して管理対象となった集合住宅Ｍの住人との間で個人的なサービスを提供することに当たり、対象住人の個人の属性情報、サービス提供内容等を個人情報と、当該サービスに必要なアプリケーションソフトの関連付けをセンターサーバ１のデータベース５２に記録する処理を行う。 
【００７５】
さてセンターサーバ１は、集合住宅Ｍのゲートウェイ１２が稼働すると、当該ゲートウェイ１２に対して定期的なキープアライブ通信を開始し、当該集合住宅Ｍのゲートウェイ１２との間通信状態を監視する動作に入り、インターネット網２で起こり得る通信異常の検知を早くし、その異常に対する対策を取るまでの時間を削減することで、インターネット通信で起き得る不確実性の解消を図っている。 
【００７６】
またセンターサーバ１は定期的にインターネット網２上のＮＴＰサーバ６０にアクセスして時刻情報を参照し、この参照した時刻情報を各集合住宅Ｍのゲートウェイ１２の要求に応じて転送するサービスを行っている、各集合住宅Ｍのゲートウェイ１２では受け取った時刻情報に基づいて内蔵している時計ＩＣ１２５の時刻補正を行うとともに、各住戸Ｈの時計機能を持つ設備に対して時刻情報を転送する処理を行う。この場合集中監視制御系の設備に対しては監視盤１０に時刻情報を渡し、監視盤１０は住戸Ｈの時計機能を持つ設備、例えば住宅情報盤９に更には時刻情報を送って、住宅情報盤９に備わっている時計の時刻を補正させる。同様にＬＡＮに接続されているネットワーク系設備に対してＬＡＮを通じて時刻情報を転送する。 
【００７７】
このようにして各設備の時計機能及びゲートウェイ１２の時計ＩＣ１２５の時刻を精度良い時刻に同期補正することができ、時計ＩＣ１２５などの精度の高いクロック回路を不要とし、また設備で検知されたイベントの発生時刻が正確になり、時刻記録を行う場合にはその精度を向上させることができる。 
【００７８】
さて稼働を介してした集合住宅Ｍ内のシステムでは、次のような動作が為されることになる。例えば来訪者がロビーインターホン４を通じて住戸Ｈの住宅情報盤９のインターホンを呼び出した場合、この呼び出しは監視盤１０を通じてゲートウェイ１２に通知され、ゲートウェイ１２はロビーインターホン４に併設しているネットワークカメラ２４Ａ及び音声入力装置２４Ｂをアクセスして夫々を起動させる。そして、ネットワークカメラ２４Ａの映像データを、音声入力装置２４Ｂを集音した音声のデータは一旦にゲートウェイ１２のＲＡＭ１２４で格納した上で、を所定のＩＰによってセンターサーバ１へ送信する。センターサーバ１では送られてきた映像データ、音声データを夫々データベース５５に格納する来訪者録画、来訪者通話録音の処理を行う。尚来訪者と住人の通話の終了情報を監視盤１０を通じて受け取ったゲートウェイ１２は、ネットワークカメラ２４Ａ、音声入力装置２４Ｂをアクセスして動作を停止させる。この処理は来訪者通話が開始した後、センターサーバ１からのアクセスによってネットワークカメラ２４Ａや音声入力装置２４Ｂを起動させると、それまでの間に来訪者との通話が終了し、来訪者の姿を捉えることができない場合があるため、起動を早める処理である。 
【００７９】
また一方住戸Ｈ内に設置されている防犯用のセンサ６が動作した場合、図７に示すように発報情報はまず住宅情報盤９に送られ、更には住宅情報盤９から監視盤１０の監視制御部１０ａへ送られ、更には通信ポート４２ａを介してゲートウェイ１２に住戸Ｈを特定する情報とともに発報発生コマンドを送る。ゲートウェイ１２は当該住戸Ｈ内に設置しているネットワークカメラ２８をアクセスして起動させるとともに、発報発生通知パケットをセンターサーバ１へ送信する。 
【００８０】
さてネットワークカメラ２８の映像データはゲートウェイ１２に送られて、ゲートウェイ１２内のＲＡＭ１２４に蓄積された上で、センターサーバ１へ所定ＩＰにより転送される。この処理はセンサ６が起動し、更にはセンターサーバ１からのアクセスによってネットワークカメラ２８を起動させると、それまでの間に侵入者が移動し、侵入者の姿を捉えることができない場合があるため起動を早める処理である。また映像データをゲートウェイ１２で蓄積することで、インターネット網２がダウンしても集合住宅Ｍ内で防犯機能を完結させるようになっている。 尚ネットワークカメラ２８へのアクセスができるのはゲートウェイ１２からのみとしていることで、第３者が住戸Ｈ内を盗み見ることができないようにしている。 
【００８１】
一方センターサーバ１では発報発生通知パケットを受け取ると、制御部５６は当該住戸Ｈの住人の個人情報をデータベース５２から読み出し、その個人情報内のメールアドレス宛に侵入者があることを知らせる電子メールをＳＭＴＰパケットにより送信する。 メールアドレスが住人の所有するクライアント用端末５０に対応するものであればクライアント用端末５０でメール着信が表示されることで、またパーソナルコンピュータ等を用いたメール受信端末の場合には実行されているメーラーによって着信が検知されると、住人はメールの受信操作を行う。これによりＰＯＰ要求パケットがメールサーバ６２に送られる。これによりメールサーバ６２からＰＯＰ返信パケットで電子メールがクライアント用端末５０或いはその他のメール受信端末へ送られることになり、この電子メールを見ることで住人は侵入者があったことを知ることになる。
【００８２】
尚電子メールによる通知ではメッセージ受信端末を立ち挙げていなければ、住人の受け取りが遅れる場合があるため、センターサーバ１が提供するサービスとして電話回線を用いた音声通知を行うようにもなっている。 
【００８３】
つまり、前記のように侵入者があったことを通知する必要がある場合、当該住人に対応して登録されている通知先電話番号に対して電話端末部５１より公衆電話回線網１４ａを通じて発呼し、通話路確立時に前記通知内容を音声によって電話端末部５１を介して発信する。同時に通知に要した電話回線使用に要する電話料金を積算し課金データベース５４に保存し、後日この課金データに基づいて当該住人に請求を行うことができるである。この場合通知先電話番号が住人のクライアント用端末５０の電話番号であれば、一層通知が確実に行えることになる。 
【００８４】
さて本実施形態における信号入出モジュール装置２５の使用について説明する。
【００８５】
まず住人は、適宜な操作手段、例えばクライアント用端末５０やパーソナルコンピュータ等インターネット網２（或いは集合住宅Ｍ内のＬＡＮ）に接続されたインターネット端末を用い、センターサーバ１の上述のＷｅｂページにアクセスしてそのＷｅｂページの操作画面から操作入力して操作画面から操作情報として所定の電気機器２７に対する制御要求パケット（或いは状態要求パケット（図８参照））をセンターサーバ１に送ると、センターサーバ１は制御要求パケット（或いは状態要求パケット（図８参照））を所定の集合住宅Ｍのルータ装置２０を通じてゲートウェイ１２に送る。これに呼応してゲートウェイ１２は信号入出モジュール装置２５に状態要求コマンドをＬＡＮを介して送る。信号入出モジュール装置２５は要求コマンドに応じて対応する電気機器２７に、接続しているインターフェス部２５１〜２５３を通じて制御信号若しくは状態要求信号を送る。これにより電気機器２７はその動作が制御される。また動作状態を示す信号を信号入出力モジュール装置２７へ送る。信号入出力モジュール装置２７はこれに呼応してゲートウェイ１２に状態返信コマンドを送り、ゲートウェイ１２は状態返信パケットを所定のＩＰによりセンターサーバ１へ送り、更にはセンターサーバ１は住人のインターネット端末へ状態返信パケットを送る。これにより住人は電気機器２７の動作状態を知ることができることなる。 
【００８６】
また信号入出モジュール装置２５に接続するセンサ２６の検知信号を利用して老人などの行動監視のサービスをセンターサーバ１から提供することもできる。例えばセンターサーバ１から定期的にセンサ２６の状態要求を行って、そのセンサ２６の検知履歴を収集し、その検知履歴による住人の行動を判断し、その判断結果を住人の家族へ通知するようにしても良い。 
【００８７】
また更には住宅分電盤３２内に電力消費監視装置を設け、電力消費のモニタや、消し忘れの監視を信号入出モジュール装置２５を通じて行うこともできる。 
【００８８】
ところで本実施形態では信号入出モジュール装置２５はネットワーク系設備として設けているが、集中監視制御系の端末として設けても良い。
【００８９】
尚センターサーバ１のサービスとして、次のようなサービスも行える。つまり予め集合住宅Ｍの住人に対応して登録してあるメールアドレスに、前記インターネット網２を通じて画像付き電子メールの着信があると、当該画像付き電子メールを、当該住人の個人情報として登録されている移動体通信端末（クライアント用端末５０など）に適合したフォーマット形式に変換した後、前記移動体通信端末に対応するメールアドレス宛に前記インターネット網２上のメールサーバ６２を通じて転送するメール処理サービスがある。これにより住人の所有する移動体通信端末の機種依存を解消するメール処理サービスが提供できる。 
【００９０】
更には集合住宅Ｍの住人に対して侵入者有り等の音声により通知を行う際、予め登録してある当該住人に対応した電話番号に対して電話番号通知を伴う発呼を、１回の呼び出し信号の発信が終了するまでの間公衆電話回線網１４ａを介して電話端末部５１により行うようにし、住人から通知した電話番号に対してコールバックがあると、電話端末部５１を通じて所定の通知を音声による通知を発信するようにすれば、センターサーバ１側で課金データを保存する必要がなくなる。この場合住人側の電話端末には通知元電話番号を登録しておくことで、番号通知があると、相手が判ることになる。 
【００９１】
また鍵の貸し出しや預け入れに用いる鍵収納装置２１の収納ボックスの開閉操作に、ＩＣカードに書き込まれているＩＤデータなど識別情報を読み取ることで行う場合にも個人情報を用いる。また更には個人情報を利用して住人の自宅への帰宅通知サービスなどにも利用できる。特に説明していないが本実施形態のシステムでは、センターサーバ１と、住人の所有するインターネット端末との間の通信を行う場合にはＳＳＬによる暗号化通信を用いるのは言うまでもない。
【００９２】
尚上述の実施形態ではホスト用コンピュータ１００を管理会社Ｘのセンターサーバ１に一体とした構成であるが、センターサーバ１とは別体にしてネットワーク上設置するようにしても良い。
【図面の簡単な説明】
【００９３】
【図１】実施形態１の概念的なブロック図である。
【図２】実施形態１のシステムの全体構成図である。
【図３】実施形態１のシステムの要部の概要図である。
【図４】実施形態１に用いるゲートウェイの回路ブロック図である。
【図５】実施形態１に用いる入出力モジュール装置の回路ブロック図である。
【図６】実施形態１の動作説明用フローチャートである。
【図７】実施形態１の動作説明用のシーケンス図である。
【図８】実施形態１の動作説明用のシーケンス図である。
【符号の説明】
【００９４】
４１Ｂ  リモート用コンピュータ
４１ａ  アプリケーションプログラム
４１ｂ  記憶部
４１ｃ  インターフェースモジュール
４１ｄ  通信モジュール
４２ｂ通信ポート
１００  ホスト用コンピュータ
１０１  通信ポート
１００ａ  アクセスコントローラ
１００ｂ  ウェブサーバ
１００ｃ  デバイスアクセスサーバ
１００ｄ  サービス情報
１００ｅ  オブジェクト
１００ｆ  通信モジュール
１０１  通信ポート
５０  クライアント用端末
５０ａ  クライアントアプリケーション
５０ｂ  デバイスアクセスクライアント
５１  通信ポート
Ｂ  ネットワークコンピュータシステム
【図１】
2007181110.tif 000005
【図２】
2007181110.tif 000006
【図３】
2007181110.tif 000007
【図４】
2007181110.tif 000008
【図５】
2007181110.tif 000009
【図６】
2007181110.tif 000010
【図７】
2007181110.tif 000011
【図８】
2007181110.tif 000012